(57)【特許請求の範囲】
【請求項１】
根太間又は大引間に無機繊維質保温材を保持するための支持具であって、両根太又は両大引に取り付けるフック部材と、フック部材間をつなぐ長尺部材とを連結してなり、
前記フック部材が相対する根太又は大引側に延伸する折曲片を備えるとともに、前記長尺部材が折曲片を係合するための係合片を備えて、
前記フック部材の折曲片が延伸方向左右対称に１又は２以上の段差部を有するとともに、前記長尺部材の係合片が長手方向両端部に断面レ字形に形成されて、折曲片の左右両端が下方に傾斜し、断面レ字形の係合片と確実に係合することを特徴とする床用保温材支持具。
【請求項２】
根太間または大引間に無機繊維質保温材を保持する床下保温構造において、無機繊維質保温材が両根太又は両大引に取り付けたフック部材と、フック部材間をつなぐ長尺部材とを連結してなる床用保温材支持具に保持されており、
前記フック部材が相対する根太又は大引側に延伸する折曲片を備えるとともに、前記長尺部材が折曲片を係合するための係合片を備えて、
前記フック部材の折曲片が延伸方向左右対称に１又は２以上の段差部を有するとともに、前記長尺部材の係合片が長手方向両端部に断面レ字形に形成されて、折曲片の左右両端が下方に傾斜し、断面レ字形の係合片と確実に係合することを特徴とする床下保温構造。
【請求項３】
前記無機繊維質保温材がロックウールまたはグラスウールであることを特徴とする請求項２に記載の床下保温構造。
【発明の詳細な説明】
【技術分野】
【０００１】
本願発明は根太間もしくは大引間に無機繊維質保温材を保持する支持具に関し、支持具が根太間もしくは大引間の距離が一定でなくても１組の支持具で対応が可能で、施工しやすく、かつ施工現場までの輸送時にかさばらない支持具に関するものである。
【背景技術】
【０００２】
従来、根太間もしくは大引間に配置する保温材としては、発泡樹脂系の保温材が多く使用されている。これらの保温材は、保型性が高い、防湿性が高いなどの特徴があるが、火災の際に一酸化炭素やシアン化ガス等の有毒ガスを発生するという問題点がある。これに対し、無機繊維からなる保温材を使用する場合には、火災の際に有毒ガスがほとんど発生しない、圧縮梱包が可能なため輸送体積が小さくてすむ、という特徴があるが、保型性が悪く、施工後に時間の経過に伴ってたわみ、床との間に隙間ができてしまうため、断熱性能が低下する、という問題点があった。
【０００３】
このような場合、根太間もしくは大引間に保温材支持具を設置してたわみを防ぐ方法が考えられる。この保温材支持具の一例として、特許文献１と特許文献２がある。
図６に示すように、特許文献１と特許文献２はともに、左右の大引間に配置される床断熱材を保持する断熱材保持金物であって、左右の大引おさえ部（大引掛け部）６，６と、床断熱材支持部７と、左右の立ち上がり連接部８，８とを備えた「ひ」の字形の断熱材保持金物５によって、床断熱材２を保持するものである。
【０００４】
【特許文献１】特開２００７−２８５０６８号公報
【特許文献２】特開２００７−２８５０６９号公報
【発明の開示】
【発明が解決しようとする課題】
【０００５】
しかし、根太間もしくは大引間の距離は住宅ごとに異なるため、特許文献１に記載の断熱材保持金物５では長さの異なる多くの支持金物を用意する必要があり、非効率的である。また、断熱材保持金物５は立体形状であるため、かさばり、輸送時に不都合であった。
【０００６】
これに対して、特許文献２に記載の断熱材保持金物５では左右の大引掛け部６，６と、床断熱材支持部７と、左右の立ち上がり連接部８，８とが一体に備えられ、長さ方向において非屈曲状態に延ばされ、「ひ」の字形形状に屈曲させることができるようになっている。そして、屈曲のための強度劣弱部１１，１２，１３に隣り合って寸法調整用の強度劣弱部２１，２２，２３が備えられており、左右の大引間の寸法が異なる場合にも対応できる構造となっている（特許文献２段落番号「００１９」）。
【０００７】
従って、特許文献２に記載の断熱材保持金物５では、従来の課題である「寸法調整（根太間又は大引間の距離）」及び「輸送時のかさばり」の解消を目的とするものであるが、これによっても以下のような課題を残している。
（１）寸法調整用の強度劣弱部２１，２２，２３に合致した寸法であればよいが、それ以外の寸法には迅速に対応できない。すなわち、全ての寸法に迅速に対応できる訳ではない。
（２）施工現場で断熱材保持金物５の屈曲作業が必要となり、必ずしも施工しやすい断熱材保持金物ではない。
【０００８】
本願発明はこのような現状を鑑み、支持具が根太間もしくは大引間の距離が一定でなくても１組の支持具で対応が可能で、施工しやすく、かつ施工現場までの輸送時にかさばらないことを目的としたものである。
【課題を解決するための手段】
【０００９】
上記目的を達成するために、本願発明の第１の発明は、根太間又は大引間に無機繊維質保温材を保持するための支持具であって、両根太又は両大引に取り付けるフック部材と、フック部材間をつなぐ長尺部材とを連結してなることを特徴とする床用保温材支持具である。
第２の発明は、前記フック部材が相対する根太又は大引側に延伸する折曲片を備えるとともに、前記長尺部材が折曲片を係合するための係合片を備えることを特徴とする同床用保温材支持具である。
第３の発明は、前記フック部材の折曲片が延伸方向左右対称に１又は２以上の段差部を有するとともに、前記長尺部材の係合片が長手方向両端部に断面レ字形に形成されていることを特徴とする同床用保温材支持具である。
第４の発明は、根太間または大引間に無機繊維質保温（断熱）材を保持する床下保温構造において、無機繊維質保温材が両根太又は両大引に取り付けたフック部材と、フック部材間をつなぐ長尺部材とを連結してなる床用保温材支持具に保持されていることを特徴とする床下保温構造である。
第５の発明は、前記無機繊維質保温材がロックウールまたはグラスウールであることを特徴とする同床下保温構造である。
【００１０】
本願発明によれば、以下のような効果を有する。
（１）支持具が立体形状であるフック部材と略平面構造である長尺部材とに分けて輸送することができるためかさばらない。
（２）長尺部材の長さを代えることで、根太間又は大引間の距離がさまざまな物件に対し対応ができる。
（３）長尺部材は金鋸で容易に切断できるので、施工現場で長さを調節することができる。
（４）フック部材の長尺部材差込側（折曲片）の長さがある程度あるため、根太間又は大引間の距離の誤差にも対応が容易である。
（５）３つの部材（フック部材２と長尺部材１）に分かれているので、狭いところでも施工が容易にできる。
【発明を実施するための最良の形態】
【００１１】
本願発明の実施形態を図面に基づいて説明する。
図１は、本願発明の使用状態を示す概要図である。
本願発明に係る床用保温材支持具１０は、床５０を構成する根太（床板をうけるために床下にわたす横木）５１，５１の間、又は、大引（根太を支える横材）５５，５５の間に配置され、床下へ保温用に設けられる無機繊維質保温材（図示省略）を保持するための支持具である。
【００１２】
図２は、この床用保温材支持具を示す説明用斜視図である。
図示するように、床用保温材支持具１０は、両根太又は両大引に取り付ける一対のフック部材２０，２０と、フック部材２０，２０間をつなぐ長尺部材３０とを連結してなる組合せ構造体である。
【００１３】
フック部材２０は、根太又は大引の上面に当接して取り付ける取付片２１と、この取付片２１から垂下する垂下片２３、さらに垂下片２３から相対する根太又は大引側へ延伸する折曲片２４とを備える折曲部材である。取付片２１には根太又は大引の上面との当接を維持するために掛止爪２２を形成する。また、折曲片２４は、延伸方向左右対称に１又は２以上の段差部２５を有する。
【００１４】
長尺部材３０は、長尺な矩形状の基部３１と、この基部３１の長手方向両端部３２，３２に断面レ字形に形成される係合片３３，３３を備える。この係合片３３，３３は、長尺部材３０の短手方向端部３５，３５から差し込んで連結するフック部材２０，２０の折曲片２４，２４を係合する。この時、折曲片２４は段差部２５を有しているので、左右両端が下方に傾斜し、断面レ字形の係合片３３と確実に係合することができる。
【００１５】
図３は、床用保温材支持具の使用状態を示す長手方向縦断面図、図４は、同短手方向縦断面図である。
根太５１，５１間又は大引５５，５５間に配置された床用保温材支持具１０は、根太５１，５１間又は大引５５，５５間に設けられる無機繊維質保温材４０を保持する。根太５１，５１間又は大引５５，５５間にこの床用保温材支持具１０を配置することで、無機繊維質保温材４０のたわみを防止して、床との間に隙間を生じさせることなく断熱性能を維持できる。なお、無機繊維質保温材４０としては、ロックウール又はグラスウールなどを挙げることができるが、その材質は特に限定されるものではない。
【００１６】
図５は、床用保温材支持具の寸法（長さ）調整を示す説明図である。
図５（Ａ）に示すように、根太５１，５１間又は大引５５，５５間の寸法（長さ）が床用保温（断熱）材支持具１０の寸法（長さ）と一致する場合には、そのまま床用保温（断熱）材支持具１０を配置すればよい。
図５（Ｂ）に示すように、根太５１，５１間又は大引５５，５５間の寸法（長さ）が床用保温材支持具１０の寸法（長さ）より小さい場合には、床用保温材支持具１０の長尺部材３０を適宜な寸法（長さ）に切断すればよく、この方法であればどのような寸法（長さ）のものにも対応できる。
【００１７】
また、床用保温材支持具１０は、根太５１，５１間又は大引５５，５５間との寸法（長さ）の微調整も可能である。すなわち、図５（Ａ）に示すように、フック部材２０を長尺部材３０の短手方向端部３５，３５より差し込む差し込みの程度を調整することで（→の方向にフック部材をスライドさせる）、上記微調整を達成できる。この時、フック部材２０と長尺部材３０との係合は、上記のように確実になされるので、上記微調整の維持も可能である。
【産業上の利用可能性】
【００１８】
以上のように、本願発明は、根太間もしくは大引間に保温材を保持する支持具として幅広く利用できるものである。
【図面の簡単な説明】
【００１９】
【図１】本願発明の使用状態を示す概要図。
【図２】本願発明に係る床用保温材支持具を示す説明用斜視図。
【図３】本願発明の使用状態を示す長手方向縦断面図。
【図４】本願発明の使用状態を示す短手方向縦断面図。
【図５】床用保温材支持具の寸法（長さ）調整を示す説明図。
【図６】従来技術（特許文献１及び２）を説明する説明図。
【符号の説明】
【００２０】
１０  床用保温材支持具
２０  フック部材    ２１  取付片    ２２  掛止爪    ２３  垂下片    ２４  折曲片
２５  段差部
３０  長尺部材      ３１  基部      ３２  長手方向端部      ３３  係合片
３５  短手方向端部
４０  無機繊維質保温材
５０  床
５１  根太
５５  大引
【図１】
0005283398.tif 000002
【図２】
0005283398.tif 000003
【図３】
0005283398.tif 000004
【図４】
0005283398.tif 000005
【図５】
0005283398.tif 000006
【図６】
0005283398.tif 000007